(57)【要約】【課題】建物が外壁面に取付けられた竪樋を覆っているカバー本体を簡単に交換することができる竪樋カバーを提供することを目的とする。【解決手段】建物の外壁面Ｆに竪樋支持具５を介して取付けられた竪樋４と、該竪樋４の外周に周設される枠状アダプター２と、該枠状アダプター２に取付けられて竪樋４の周囲を覆う断面溝型のカバー本体３とからなり、該カバー本体３の内面に長手方向に沿って係合突起３１が突出しており、該係合突起３１に対応して前記枠状アダプター２の外面に係合突起３１が嵌入される凹溝２８が設けられ、該凹溝２８に前記カバー体３の係合突起３１が嵌入して取付けられている。【選択図】      図１
2004162431.tif 000002
【特許請求の範囲】
【請求項１】
竪樋の外周に周設される枠状アダプターと、該枠状アダプターに取付けられて竪樋の周囲を覆う断面溝型のカバー本体とからなり、該カバー本体の内面に長手方向に沿って係合突起が突出しており、該係合突起に対応して前記枠状アダプターの外面に係合突起が嵌入される凹溝が設けられていることを特徴とする竪樋カバー。
【請求項２】
建物の外壁面に竪樋支持具を介して取付けられた竪樋と、該竪樋の外周に周設される枠状アダプターと、該枠状アダプターに取付けられて竪樋の周囲を覆う断面溝型のカバー本体とからなり、該カバー本体の内面に長手方向に沿って係合突起が突出しており、該係合突起に対応して前記枠状アダプターの外面に係合突起が嵌入される凹溝が設けられ、該凹溝に前記カバー体の係合突起が嵌入して取付けられていることを特徴とする竪樋カバーの取付構造。
【請求項３】
建物の外壁面に竪樋支持具を介して取付けられ竪樋継手で上下方向に接続された竪樋と、前記竪樋継手の外周に周設される枠状アダプターと、該枠状アダプターに取付けられて竪樋の周囲を覆う断面溝型のカバー本体とからなり、該カバー本体の内面に長手方向に沿って係合突起が突出しており、該係合突起に対応して前記枠状アダプターの外面に係合突起が嵌入される凹溝が設けられ、該凹溝に前記カバー体の係合突起が嵌入して取付けられていることを特徴とする竪樋カバーの取付構造。
【請求項４】
枠状アダプターと竪樋継手とが一体に形成されていることを特徴とする請求項３記載の竪樋カバーの取付構造。
【発明の詳細な説明】
【０００１】
【発明の属する技術分野】
本発明は、竪樋の保護や建屋外観の見栄えの向上のために用いられる竪樋カバー及びその取付構造に関する。
【０００２】
【従来の技術】
従来、建物の外壁面に取付けられた竪樋は、図７に示すように家屋の屋根部の軒樋ａに接続された竪樋ｂを竪樋継手ｃにより接続して外壁面ｄに沿って垂下させ、地中に埋設された排水管ｅに接続されている。そして、この竪樋ｂは建物の外壁面ｄに竪樋支持具ｆにより取付けて施工されている。
【０００３】
ところで、上記のような外壁面ｄに直接取付けられた竪樋ｂは、建物の外壁面ｄとの兼ね合いにより見栄えを良くするために、カバー受座とカバー本体からなる竪樋カバーで竪樋ｂを覆い建物外観を向上させていた（例えば、特許文献１を参照。）。
【０００４】
【特許文献１】
特開２０００─６４５３５号公報（第１図及び第２図）
【０００５】
【発明が解決しようとする課題】
しかしながら、上記従来の竪樋カバーは、建物の外壁の上下方向に凹状の被係止部を設けたカバー受座を外壁面に固着し、竪樋を取付けてからカバー本体をカバー受座に係合させて竪樋を覆うもので、例えば、長期使用中にカバー本体が劣化し、カバー受座も交換しないと外観上見苦しいので、カバー受座も取り替える必要があるが、カバー受座は竪樋と外壁面との間に取付けられているため交換に手間がかかるという問題点があった。
【０００６】
本発明は、このような事情に鑑みて、建物が外壁面に取付けられた竪樋を覆っているカバー本体を簡単に交換することができる竪樋カバーを提供することを目的としている。
【０００７】
【課題を解決するための手段】
このような目的を達成するために、請求項１に記載の発明に係わる竪樋カバー（以下、「請求項１の竪樋カバー」と記す）は、竪樋の外周面に周設される枠状アダプターと、該枠状アダプターに取付けられて竪樋の周囲を覆う断面溝型のカバー本体とからなり、該カバー本体の内面に長手方向に沿って係合突起が突出しており、該係合突起に対応して前記枠状アダプターの外面に係合突起が嵌入される凹溝が設けられていることを特徴とした。
【０００８】
請求項２に記載の発明に係わる竪樋カバーの取付構造（以下、「請求項２の竪樋カバーの取付構造」と記す）は、建物の外壁面に竪樋支持具を介して取付けられた竪樋と、該竪樋の外周面に周設される枠状アダプターと、該枠状アダプターに取付けられて竪樋の周囲を覆う断面溝型のカバー本体とからなり、該カバー本体の内面に長手方向に沿って係合突起が突出しており、該係合突起に対応して前記枠状アダプターの外面に係合突起が嵌入される凹溝が設けられ、該凹溝に前記カバー体の係合突起が嵌入して取付けられていることを特徴とした。
【０００９】
請求項３に記載の発明に係わる竪樋カバーの取付構造（以下、「請求項３の竪樋のカバー取付構造」と記す）は、建物の外壁面に竪樋支持具を介して取付けられ竪樋継手で上下方向に接続された竪樋と、前記竪樋継手の外周面に周設される枠状アダプターと、該枠状アダプターに取付けられて竪樋の周囲を覆う断面溝型のカバー本体とからなり、該カバー本体の内面に長手方向に沿って係合突起が突出しており、該係合突起に対応して前記枠状アダプターの外面に係合突起が嵌入される凹溝が設けられ、該凹溝に前記カバー体の係合突起が嵌入して取付けられていることを特徴とした。
【００１０】
請求項４に記載の発明に係わる竪樋カバーの取付構造（以下、「請求項４の竪樋のカバー取付構造」と記す）は、請求項３の竪樋のカバー取付構造において、枠状アダプターと竪樋継手とが一体に形成されていることを特徴とした。
【００１１】
【本発明の実施の形態】
次に、本発明の実施の形態を説明する。
図１〜４は本発明の実施の形態の一例を示すもので、図１は建物の外壁に取付けられた竪樋を竪樋カバーで覆った状態を示す断面図、図２は本発明において使用される枠状アダプターを示す斜視図、図３は同じく本発明において使用されるカバー本体を示す斜視図、図４はカバー本体の取付手順を説明する要部切り欠き側面図である。
【００１２】
図１において、竪樋カバー１は枠状アダプター２と断面溝型のカバー本体３とからなり、枠状アダプター２は建物の外壁面Ｆに取付けられる竪樋４の外周に周設され、カバー本体３が竪樋４の周囲を覆うようにして枠状アダプター２に取付けられている。竪樋４は竪樋支持具５を介して建物の外壁面Ｆに取付固定されている。
【００１３】
枠状アダプター２は、金属製もしくは合成樹脂製から成形されており、図２にも示すように竪樋４を抱持するように、竪樋４が入る大きさの四角の枠状体で形成されており、この四角の枠状体は嵌め枠２１と止め枠２２とに分割されて、嵌め枠２１と止め枠２２の外側面にスリット状の凹溝２８が設けられている。
上記嵌め枠２１の一端２３と止め枠２２の一端２４とは、軸ピン２５を介して回動自在に取付けられており、嵌め枠２１の他端２６と止め枠２２の他端２７が係止できるようになっている。
【００１４】
従って、この止め枠２２の他端２７の係合を外し、一端２３の軸ピン２５を中心にして回転させると、他端２６が開口し、竪樋４を入れることができ、再び、元の状態にすることにより竪樋４を抱いた状態で取付けることができるようになっている。
【００１５】
カバー本体３は、金属製もしくは合成樹脂製から成形されており、建物の外壁面Ｆに取付けられた竪樋４を屋外側から覆うように断面溝型の長尺の樋状体の形状に成形されている。カバー本体３の内面側には、上記枠状アダプター２の凹溝２８に係合するように長手方向に沿って係合突起３１が突出している。
【００１６】
竪樋４は、金属製もしくは合成樹脂製から長尺の角筒体に成形されており、四隅が湾曲した凹部を形成するように面取りされた形状となっている。
【００１７】
竪樋支持具５は、金属製もしくは合成樹脂製から成形されており、図４にも示すように竪樋４を把持する把持部５０が腕部５１の一端に形成され、腕部５１の他端に固定部５２が形成されている。この竪樋支持具５の把持部５０は、角筒の竪樋４が入る大きさの四角状の枠状体で形成されており、図示しない受け枠と止め枠とに分割されている。
【００１８】
次に、本発明の竪樋カバーの使用方法およびその取付構造について説明する。先ず、竪樋支持具５の固定部５２をビスや釘等の固定部材により壁面Ｆに固着してから、竪樋４を把持部５０に取付け固定する。次に、枠状アダプター２の嵌め枠２１の他端２６と止め枠２２の他端の係合を解除し、止め枠２２を軸ピン２５を中心に回転させ、嵌め枠２１の一辺側を開放する。
続いて、嵌め枠２１の開口側から竪樋を嵌め込み、止め枠２２を閉じて再び他端２６、２７同志を係合させ、竪樋４を挟んだ状態で取付ける。
【００１９】
最後に、カバー本体３を開口側から竪樋４を覆うようにして屋内側に向けて押し込み枠状アダプター２を内挿する。このとき、枠状アダプター２の凹溝２８にカバー本体３の係合突起３１が係合し、本体カバ─３が枠状アダプター２を介して竪樋４を覆い隠すようにして取付け固定される。
【００２０】
このようにして竪樋４に取り付けられたカバー本体３が長期使用において劣化したときに、枠状アダプター２から簡単に取り外すことができ、新品のカバー本体箱３と交換することができる。
【００２１】
図５〜６は本発明の実施の形態の他の例を示すもので、図５は建物の外壁面Ｆに取付けられ竪樋を竪樋カバーで覆った状態を示す断面図、図６は本発明において使用される枠状アダプターを示す斜視図である。
【００２２】
図５において、竪樋４ａが金属製もしくは合成樹脂製から長尺の円筒状に成形され、この竪樋４ａに取り付けられる枠状アダプター２ａが円形枠の形状とされており、また、竪樋４ａを外壁面Ｆに支持する竪樋支持具５ａの把持部５０ａが円形枠の形状とされていることを除いては上記実施例と同じ形状である。
【００２３】
この実施の形態において、枠状アダプター２ａを円筒状の竪樋４ａに取付けるには、枠状アダプター２ａの一対の半円枠２１ａ、２２ａの他端２６ａ、２７ａ同志の係合を解除し、半円枠２１ａ、２２ａの一端２３ａ、２４ａに設けられた軸ピン２５を中心に開くように回転させ、半円枠２１ａ、２２ａを二つ割りに開放する。
【００２４】
続いて、軸ピン２５を中心に二つ割りに開放された半円枠２１ａ、２２ａ内に円筒状の竪樋４ａを挿入し、半円枠２１ａ、２２ａを挟み込むようにして閉じて他端２６ａ、２７ａ同志の係合する。
最後に、カバー本体３を開口側から竪樋４ａを覆うようにして屋内側に向けて押し込み枠状アダプター２ａを内挿すると、枠状アダプター２ａの凹溝２８にカバー本体３の係合突起３１が係合し、カバー本体３が枠状アダプター２ａを介して竪樋４ａを覆い隠すようにして取付けられる。
【００２５】
以上、本発明の実施の形態を図面により詳述してきたが、具体的な形態はこの実施の形態に限られものではなく、本発明の要旨を逸脱しない範囲における設計の変更等があっても本発明に含まれる。
【００２６】
例えば、実施の形態では、枠状アダプターは竪樋の外周面に周設されたが、竪樋継手の外周面に周設されてもよく、または竪樋継手の外周面にカバー本体の係合突起を係合する凹溝を設けて枠状アダプターと竪樋継手とが一体に形成されたものであってもよい。
【００２７】
また、円形枠の枠状アダプター２ａは半円枠２１ａ、２２ａが軸ピン２５で回動自在に連結されているが、半円枠２１ａ、２２ａの他端２６、２７と同じ形状の係合構造としてもよい。
【００２８】
【発明の効果】
以上のように本発明の竪樋カバーおよび竪樋カバーの取付構造によれは、建物が外壁面に取付けられた竪樋を覆っているカバー本体が劣化して取り替えが必要となったときに、簡単に交換することができる。
【図面の簡単な説明】
【図１】本発明の一例を示すもので、建物の外壁面に取付けられた竪樋を竪樋カバーで覆った状態を示す断面図である。
【図２】本発明において使用される枠状アダプターを示す斜視図である。
【図３】同じくカバー本体を示す斜視図である。
【図４】竪樋カバーの取付手順を説明する要部切り欠き側面図である。
【図５】本発明の他の例を示すもので、建物の外壁面に取付けられた竪樋を竪樋カバーで覆った状態を示す断面図である。
【図６】本発明の他の例において使用される枠状アダプターを示す斜視図である。
【図７】従来例を説明するための概略説明図である。
【符号の説明】
Ｆ                外壁面
１                竪樋カバー
２                枠状アダプター
２８              凹溝
３                カバー本体
３１              係合突起
４                竪樋
５                竪樋支持具
【図１】
2004162431.tif 000003
【図２】
2004162431.tif 000004
【図３】
2004162431.tif 000005
【図４】
2004162431.tif 000006
【図５】
2004162431.tif 000007
【図６】
2004162431.tif 000008
【図７】
2004162431.tif 000009